(57)【要約】本発明は、通信システムにおける信号の送受信方法及び装置に関する。上記方法は、多数のアンテナのうちのいずれか一つのアンテナを通じて、受信機に信号を送信する段階と、受信機から送信アンテナの切り替えを指示するアンテナスイッチング指示子を受信する段階と、アンテナスイッチング指示子により、送信アンテナを切り替えた後、切り替えられたアンテナを通じて、信号を受信機に伝送する段階とを含む。【選択図】図５
2010517407.tif 000002
【特許請求の範囲】
【請求項１】
多数のアンテナを含む送信機における信号の送受信方法であって、
前記多数のアンテナのうちのいずれか一つのアンテナを通じて、受信機に信号を送信する段階と、
前記受信機から、前記送信アンテナの切り替えを指示するアンテナスイッチング指示子を受信する段階と、
前記アンテナスイッチング指示子により、前記送信アンテナを切り替えた後、切り替えられたアンテナを通じて、信号を前記受信機に伝送する段階と
を含む信号の送受信方法。
【請求項２】
前記多数のアンテナは、互いに異なる指向性を有することを特徴とする、請求項１に記載の信号の送受信方法。
【請求項３】
前記受信機は、受信された信号のＳＮＲを測定した後、前記ＳＮＲが基準値より小さい場合、前記アンテナスイッチング指示子を前記送信機にフィードバックすることを特徴とする、請求項１に記載の信号の送受信方法。
【請求項４】
前記受信機から変調モードインデックスを受信する段階を更に含み、前記送信機は、前記変調モードインデックスに相応する変調モードで信号を送信することを特徴とする、請求項１に記載の信号の送受信方法。
【請求項５】
前記受信機により受信された信号のＳＮＲが、変調モードの決定のための境界値、γＴn（ここで、ｎ＝Ｎ、Ｎ−１、…、２）と比較して、前記ＳＮＲがγＴn+1より小さく、γＴnより大きい場合、前記変調モードインデックスは、ｎに決定されることを特徴とする、請求項４に記載の信号の送受信方法。
【請求項６】
多重送信アンテナを通じて信号を送信することを示す多重送信アンテナモード情報を、前記受信機に伝送する段階を更に含むことを特徴とする、請求項１に記載の信号の送受信方法。
【請求項７】
前記多重送信アンテナモード情報は、前記多数のアンテナ数の情報及び前記基準値のうちの少なくともいずれか一つを含むことを特徴とする、請求項６に記載の信号の送受信方法。
【請求項８】
前記受信機が、前記送信機のアンテナの数ほど、アンテナスイッチング指示子を連続に前記送信機にフィードバックする場合、前記受信機は、前記送信機の多数のアンテナのうち、ＳＮＲが最も高いアンテナの情報を、前記送信機にフィードバックし、前記送信機は、ＳＮＲが最も高いアンテナを通じて信号を伝送することを特徴とする、請求項７に記載の信号の送受信方法。
【請求項９】
無線チャネルを通じて、多数の送信アンテナを含む送信機と結合する受信機における信号の送受信方法であって、
前記送信機から、前記多数の送信アンテナのうちのいずれか一つを通じて信号を受信する段階と、
前記受信信号のＳＮＲを測定する段階と、
前記測定されたＳＮＲと基準値とを比較する段階と、
前記比較の結果、前記測定されたＳＮＲが前記基準値より小さい場合、送信アンテナを切り替えることを示すアンテナスイッチング指示子を、前記送信機に伝送する段階と
を含む信号の送受信方法。
【請求項１０】
前記測定されたＳＮＲに相応して、変調モードを決定する段階と、
前記決定された変調モードに応じた変調モードインデックスを前記送信機に伝送する段階と
を更に含み、
前記測定されたＳＮＲが、変調モードの決定のための境界値、γＴn（ここで、ｎ＝Ｎ、Ｎ−１、…、２）と比較して、前記ＳＮＲがγＴn+1より小さく、γＴnより大きい場合、変調モードは、ｎに決定されることを特徴とする、請求項９に記載の信号の送受信方法。
【請求項１１】
多重送信アンテナを通じて信号を送信することを示す多重送信アンテナモード情報を、前記送信機から受信する段階を更に含むことを特徴とする、請求項９に記載の信号の送受信方法。
【請求項１２】
前記多重送信アンテナモード情報は、前記多数の送信アンテナの数の情報及び前記基準値のうちの少なくともいずれか一つを含むことを特徴とする、請求項１１に記載の信号の送受信方法。
【請求項１３】
前記受信機が、前記多数のアンテナの数ほど、アンテナスイッチング指示子を連続に前記送信機に伝送し、前記送信機のすべてのアンテナに対するＳＮＲが前記基準値より小さい場合、前記受信機は、前記送信機のアンテナのうち、ＳＮＲが最も高いアンテナの情報を、前記送信機にフィードバックすることを特徴とする、請求項１２に記載の信号の送受信方法。
【請求項１４】
前記多数のアンテナの数ほど、アンテナスイッチング指示子を連続に前記送信機に伝送し、前記多数の送信アンテナに対する全てのＳＮＲが、境界値γＴ2より小さい場合、前記受信機は、ＱＰＳＫの変調方式で信号を送信することを、送信機に要請することを特徴とする、請求項１２に記載の信号の送受信方法。
【請求項１５】
前記多数のアンテナの数ほど、アンテナスイッチング指示子を連続に前記送信機に伝送し、前記多数の送信アンテナに対する全てのＳＮＲが、境界値γＴ2より小さい場合、前記受信機は、次のガード区間（ｇｕａｒｄ  ｐｅｒｉｏｄ）の間、データをバッファーに格納し、待機要請を送信機に伝送することを特徴とする、請求項１２に記載の信号の送受信方法。
【請求項１６】
多数の送信アンテナを含み、受信機からフィードバックを受けた変調モードに応じて信号を変調して伝送し、前記受信機から受信されたアンテナスイッチング指示子に応じて送信アンテナを切り替える送信機と、
前記送信機から伝送される信号のＳＮＲが基準値より小さい場合、前記送信機に前記アンテナスイッチング指示子をフィードバックする受信機と
を備える信号の送受信装置。
【請求項１７】
前記受信機は、前記送信機から伝送される信号のＳＮＲに対応する変調モードを決定し、前記送信機にフィードバックすることを特徴とする、請求項１６に記載の信号の送受信装置。
【請求項１８】
前記送信機は、
前記受信機からフィードバックを受けた変調モードに応じて、送信信号を変調する変調部と、
前記受信機からフィードバックを受けたアンテナスイッチング指示子に応じて、送信アンテナの切り替えを制御するスイッチング制御部と
を備えることを特徴とする、請求項１６に記載の信号の送受信装置。
【請求項１９】
前記受信機は、
前記受信信号に対して、前記アンテナ毎のＳＮＲを測定するＳＮＲ測定部と、
前記測定されたＳＮＲを前記基準値と比較して、送信機の送信アンテナを切り替えることを決定するスイッチング決定部と、
前記測定されたＳＮＲを利用して、前記変調モードを決定する変調モード決定部と
を備えることを特徴とする、請求項１６に記載の信号の送受信装置。
【請求項２０】
前記受信機が、前記送信機のアンテナの数ほど、アンテナスイッチング指示子をフィードバックし、前記送信機のすべてのアンテナに対するＳＮＲが前記基準値より小さい場合、前記送信機のアンテナのうち、ＳＮＲが最も高いアンテナの情報を、前記送信機にフィードバックすることを特徴とする、請求項１６に記載の信号の送受信装置。
【発明の詳細な説明】
【技術分野】
【０００１】
本発明は、通信システムにおける信号の送受信方法及び装置に関する。特に、送信機の送信アンテナが多数である通信システムにおいて送信アンテナの経路を選択し、これにより適応変調方式を適用して信号を送受信する方法及び装置に関する。
【背景技術】
【０００２】
次世代移動通信システムは、移動端末に、大容量のデータを高速に送受信することができるサービスを提供するための移動通信システムの形態に発展していきつつある。ところが、移動通信システムの無線チャネル環境は、有線チャネル環境とは異なり、多重経路干渉（ｍｕｌｔｉｐａｔｈ  ｉｎｔｅｒｆｅｒｅｎｃｅ）、シャドーイング（ｓｈａｄｏｗｉｎｇ）、電波減衰、時変雑音、干渉、フェーディング（ｆａｄｉｎｇ）等のような多様な要因により不可避なエラーが発生して、情報の損失が発生する。また、無線チャネルの可用周波数の帯域は非常に制限的である。
【０００３】
したがって、次世代移動通信システムは、無線環境が変動されるチャネルにおいて、高い伝送率で信頼性を保障する伝送のために、制限された帯域幅及びパワーリソースを活用しなければならない。適応変調及びアンテナダイバーシティは、次世代通信システムにおいてこのような技術を可能にする最も重要な要素である。適応変調（Ａｄａｐｔｉｖｅ  Ｍｏｄｕｌａｔｉｏｎ）方式は、無線チャネル環境において周波数の効用性を高めることができる。適応変調は、瞬時的なエラーレートを目標値の以下に維持しながら、変化するチャネルを克服するために、星状図の大きさ及びコーディングレート（Ｃｏｄｉｎｇ  Ｒａｔｅ）のような変調パラメータを調節して、変調方式を適応的に適用する方式である。主に、変調モードは、いくつかの既に定められた基準値と、受信された信号の強度との比較結果に基づいて選択される。即ち、送信機は、送受信チャネルの状態に対して受信機からフィードバックを受けて、チャネルの状態が良い場合には、高い伝送率を有する変調方式を適用して信号を送信し、チャネルの状態がよくない場合には、低い伝送率を有する変調方式を適用して、エラーレートを減少させることができる。
【０００４】
一方、フェーディング現状から通信の不安定性を除去するために、ダイバーシティ方式が使用されており、ダイバーシティ方式の一つとして、送受信機が多数のアンテナを備え、良いチャネルを有するアンテナを利用して送受信するか、多重経路を通じて送受信するアンテナダイバーシティ方法がある。受信アンテナが多数である場合、アンテナダイバーシティ技法における最適のアンテナ合成方法は、よく知られている最大比率合成（Ｍａｘｉｍｕｍ  Ｒａｔｉｏ  Ｃｏｍｂｉｎｉｎｇ：ＭＲＣ）である。
【０００５】
一般的に、受信機は、使用者の端末であって、受信機に多重のアンテナを備えることは容易ではない。また、従来には、このようなダイバーシティの組合技術は、適応変調技術とは独立的に研究されてきただけで、共に考慮されたことはなかった。したがって、無線チャネルの限定された資源を効率的に活用しながら、信頼性を向上させるための方案として、送信端に多重のアンテナを備えるダイバーシティ技術と、適応変調方式とを組み合わせる必要性が大きくなっている。
【発明の概要】
【発明が解決しようとする課題】
【０００６】
上記のような問題点を解決するための本発明の目的は、適応変調方式と送信機の多重アンテナダイバーシティ技術とを組み合せることにより、信頼性を保障しながら、データを効率的に伝送することができる通信システムにおける信号の送受信方法及び装置を提供することである。
【０００７】
本発明の他の目的は、多数のアンテナを含む送信機から信号を伝送することにおいて、受信機における信号が基準信号より小さい場合、フィードバックを通してアンテナを切り替えて信号を伝送することができる通信システムにおける信号の送受信方法及び装置を提供することである。
【課題を解決するための手段】
【０００８】
上述した目的を達成するために、本発明の一つの側面によれば、多数の送信アンテナを含む送信機における信号の送受信方法であって、上記多数の送信アンテナのうちのいずれか一つのアンテナを通じて受信機に信号を送信する段階と、上記受信機から上記送信アンテナの切り替えを指示するアンテナスイッチング指示子を受信する段階と、上記アンテナスイッチング指示子により上記送信アンテナを切り替えた後、切り替えられたアンテナを通じて信号を上記受信機に伝送する段階とを含む信号の送受信方法を提供することができる。
【０００９】
好ましい実施例において、上記多数のアンテナは、互いに異なる指向性を有することを特徴とする。また、上記受信機は、受信された信号のＳＮＲを測定した後、上記ＳＮＲが基準値より小さい場合、上記アンテナスイッチング指示子を上記送信機にフィードバックすることを特徴とする。
【００１０】
また、上記方法は、上記受信機から変調モードインデックスを受信する段階を更に含み、上記送信機は、上記変調モードインデックスに相応する変調モードで信号を送信することを特徴とする。また、上記受信機により受信された信号のＳＮＲが、変調モードの決定のための境界値、γＴn（ここで、ｎ＝Ｎ、Ｎ−１、…、２）と比較して、上記ＳＮＲがγＴn+1より小さく、γＴnより大きい場合、上記変調モードインデックスは、ｎに決定されることを特徴とする。
【００１１】
また、上記方法は、多重送信アンテナを通じて信号を送信することを示す多重送信アンテナモード情報を、上記受信機に伝送する段階を更に含む。また、上記多重送信アンテナモード情報は、上記多数のアンテナの数の情報及び上記基準値のうちの少なくともいずれか一つを含むことを特徴とする。また、上記受信機が、上記送信機のアンテナの数ほど、アンテナスイッチング指示子を連続に上記送信機にフィードバックする場合、上記受信機は、上記送信機の多数のアンテナのうち、ＳＮＲが最も高いアンテナの情報を、上記送信機にフィードバックし、上記送信機は、ＳＮＲが最も高いアンテナを通じて信号を伝送することを特徴とする。
【００１２】
本発明の他の側面によれば、無線チャネルを通じて、多数のアンテナを含む送信機と結合する受信機における信号の送受信方法であって、上記送信機から、上記多数のアンテナのうちのいずれか一つを通じて信号を受信する段階と、上記受信信号のＳＮＲを測定する段階と、上記測定されたＳＮＲと基準値とを比較する段階と、上記比較の結果、上記測定されたＳＮＲが上記基準値より小さい場合、送信アンテナを切り替えることを示すアンテナスイッチング指示子を上記送信機に伝送する段階とを含む信号の送受信方法を提供することができる。
【００１３】
好ましい実施例において、上記方法は、上記測定されたＳＮＲに相応して、変調モードを決定する段階と、上記決定された変調モードに応じた変調モードインデックスを上記送信機に伝送する段階とを更に含み、上記測定されたＳＮＲが、変調モードの決定のための境界値、γＴn（ここで、ｎ＝Ｎ、Ｎ−１、…、２）と比較して、上記ＳＮＲがγＴn+1より小さく、γＴnより大きい場合、変調モードは、ｎに決定されることを特徴とする。
【００１４】
また、上記方法は、多重送信アンテナを通じて信号を送信することを示す多重送信アンテナモード情報を上記送信機から受信する段階を更に含むことを特徴とする。また、上記多重送信アンテナモード情報は、上記多数の送信アンテナの数の情報及び上記基準値のうちの少なくともいずれか一つを含むことを特徴とする。また、上記受信機が、上記多数のアンテナの数ほど、アンテナスイッチング指示子を連続に上記送信機に伝送し、上記送信機のすべてのアンテナに対するＳＮＲが上記基準値より小さい場合、上記受信機は、上記送信機のアンテナのうち、ＳＮＲが最も高いアンテナの情報を、上記送信機にフィードバックすることを特徴とする。
【００１５】
また、上記多数のアンテナの数ほど、アンテナスイッチング指示子を連続に上記送信機に伝送し、上記多数の送信アンテナに対する全てのＳＮＲが境界値γＴ2より小さい場合、上記受信機は、ＱＰＳＫの変調方式で信号を送信することを、送信機に要請することを特徴とする。また、上記多数のアンテナの数ほど、アンテナスイッチング指示子を連続に上記送信機に伝送し、上記多数の送信アンテナに対する全てのＳＮＲが、境界値γＴ2より小さい場合、上記受信機は、次のガード区間（ｇｕａｒｄ  ｐｅｒｉｏｄ）の間、データをバッファーに格納し、待機要請を送信機に伝送することを特徴とする。
【００１６】
本発明のまた他の側面によれば、多数の送信アンテナを含み、受信機からフィードバックを受けた変調モードに応じて信号を変調して伝送し、上記受信機から受信されたアンテナスイッチング指示子に応じて送信アンテナを切り替える送信機と、上記送信機から伝送される信号のＳＮＲが既に定められた基準値より小さい場合、上記送信機に上記アンテナスイッチング指示子をフィードバックする受信機とを備える信号の送受信装置を提供することができる。
【００１７】
好ましい実施例において、上記受信機は、上記送信機から伝送される信号のＳＮＲに対応する変調モードを決定し、上記送信機にフィードバックすることを特徴とする。また、上記送信機は、上記受信機からフィードバックを受けた変調モードに応じて、送信信号を変調する変調部と、上記受信機からフィードバックを受けたアンテナスイッチング指示子に応じて、送信アンテナの切り替えを制御するスイッチング制御部とを備えることを特徴とする。また、上記受信機は、上記受信信号に対して、上記アンテナ毎のＳＮＲを測定するＳＮＲ測定部と、上記測定されたＳＮＲを上記基準値と比較して、送信機の送信アンテナを切り替えることを決定するスイッチング決定部と、上記測定されたＳＮＲを利用して、上記変調モードを決定する変調モード決定部とを備えることを特徴とする。また、上記受信機が、上記送信機のアンテナの数ほど、アンテナスイッチング指示子をフィードバックし、上記送信機のすべてのアンテナに対するＳＮＲが上記基準値より小さい場合、上記送信機のアンテナのうち、ＳＮＲが最も高いアンテナの情報を、上記送信機にフィードバックすることを特徴とする。
【発明の効果】
【００１８】
本発明によれば、適応変調方式と多重送信アンテナダイバーシティ技術とを組み合せることにより、信頼性を保障しながら、データを効率的に伝送することができる通信システムにおける信号の送受信方法及び装置を提供することができる。
【００１９】
本発明によれば、送信端における多重のアンテナのそれぞれが、互いに異なる方向性を指向するアンテナであり、多数の方向性アンテナを合わせれば、まるで全方位（ｏｍｎｉ  ｄｉｒｅｃｔｉｏｎａｌ）アンテナのように見られるが、実際に使用されるアンテナは、使用者と最適の指向性を有する方向性アンテナに切り替えられて使われることにより、最適のアンテナ利得を取ることができる。本発明は、これからのＭＭ（ｍｉｌｌｉｍｅｔｅｒ）‐ｗａｖｅに基づくＷＰＡＮ（Ｗｉｒｅｌｅｓｓ  Ｐｅｒｓｏｎａｌ  Ａｒｅａ  Ｎｅｔｗｏｒｋ）システムに最適に用いられることができる。
【図面の簡単な説明】
【００２０】
【図１】本発明の好ましい一つの実施例に係る信号送受信装置を概略的に示す図面である。
【図２】本発明の好ましい一つの実施例に係る送信機の構成を概略的に示す図面である。
【図３】本発明の好ましい一つの実施例に係る受信機の構成を概略的に示す図面である。
【図４】本発明の好ましい一つの実施例に係る送信機と受信機との間で行われる信号の流れを示すフローチャートである。
【図５】本発明の一つの実施例に係る送信機における信号の送受信の手続きを示す順序図である。
【図６】本発明の一つの実施例に係る受信機における信号の送受信の手続きを示す順序図である。
【発明を実施するための形態】
【００２１】
次に、添付の図面を参照して、本発明の好ましい実施例を詳しく説明する。
【００２２】
図１は、本発明の好ましい一つの実施例に係る信号送受信装置を概略的に示す図面であり、図２及び図３は、それぞれ本発明の好ましい一つの実施例に係る送信機及び受信機の概略的な構造を示している。
【００２３】
図１乃至図３を参照すれば、本発明に係る信号送受信装置は、多数のアンテナ１０３−１、１０３−２、…、及び１０３−Ｌを含む送信機１０１、並びに少なくとも一つのアンテナ１０７及び比較部１０６を含む受信機１０５を備える。
【００２４】
図２に示されたように、送信機１０１は、変調部２０１、スイッチング制御部２０３、及び送受信部２０５を備える。また、受信機１０５は、図３に示されたように、送受信部３０１、ＳＮＲ測定部３０３、スイッチング決定部３０５、及び変調モード決定部３０７を備える。上記ＳＮＲ測定部３０３及びスイッチング決定部３０５は、図１の比較部１０６に対応することができる。
【００２５】
送信機１０１から受信機１０５に送信される信号は、変調部２０１を通じて変調されて、多数のアンテナ１０３−１、１０３−２、…、及び１０３−Ｌのうちのいずれか一つを通じて送信され、無線チャネルを通過した送信信号は、受信アンテナ１０７を通じて、受信機１０５に入力される。ここで、上記送信機１０１の多数のアンテナ１０３−１、１０３−２、…、及び１０３−Ｌは、指向性を有することが好ましい。送信機１０１のアンテナ１０３がＬ個存在する場合、各アンテナは、２π／Ｌの指向性を有する。上記送信アンテナ１０３−１、１０３−２、…、及び１０３−Ｌが特定の指向性を有する場合、全方位の指向性アンテナ（ｏｍｎｉ−ｄｉｒｅｃｔｉｏｎａｌ  ａｎｔｅｎｎａ）に比べて、指向性の程度ほどの電力利得を取ることができる。即ち、上記送信機１０１の電力利得は、Ｌほど大きくなることができる。
【００２６】
上記送信機１０１は、一つのＲＦチェーンを有するので、送信信号を上記受信機１０５に伝送する場合、多数のアンテナ１０３−１、１０３−２、…、及び１０３−Ｌのうちのいずれか一つを利用する。上記送信機１０１から上記受信機１０５に最初に信号を送信する場合、上記送信機１０１は、上記多数のアンテナ１０３−１、１０３−２、…、及び１０３−Ｌのうちから任意のアンテナを選択し、選択されたアンテナを通じて信号を受信機１０５に送信することができる。上記送信機１０１は、上記受信機１０５からアンテナの切り替えを示すアンテナスイッチング指示子を受信すれば、現在の送信アンテナを他のアンテナに切り替える。
【００２７】
上記変調部２０１で行われる変調方式は、上記無線チャネル環境に応じて、適応変調（Ａｄａｐｔｉｖｅ  Ｍｏｄｕｌａｔｉｏｎ）方式が適用される。この時、変調方式は、上記無線チャネル環境に応じて、Ｍ−ａｒｙ  ｑｕａｄｒａｔｕｒｅ  ａｍｐｌｉｔｕｄｅ  ｍｏｄｕｌａｔｉｏｎ（Ｍ−ＱＡＭ）が適用される。本発明における適応変調方式は、受信機１０５の変調モード決定部３０７で決定された変調モードに対してフィードバックを受け、それにより適応変調を行うことができる。
【００２８】
受信機１０５のＳＮＲ測定部３０３は、上記受信アンテナ１０７を通じて受信した信号の信号対雑音の比（Ｓｉｇｎａｌ  ｔｏ  Ｎｏｉｓｅ  Ｒａｔｉｏ、以下、ＳＮＲという）を測定する。以後、スイッチング決定部３０５は、上記測定されたＳＮＲを特定の基準値と比較し、ＳＮＲが上記基準値より小さい場合、送信機１０１の送信アンテナ１０３を切り替えることを決定する。送信機１０１の送信アンテナ１０３を切り替えることに決定された場合、受信機１０５は、アンテナスイッチング指示子を上記送信機１０１にフィードバックし、送信機１０１は、スイッチング制御部２０３を通じて現在の送信アンテナ１０３を切り替える。
【００２９】
この時、上記アンテナスイッチング指示子は、上記スイッチング決定部３０５において送信アンテナを切り替えることに決定された場合にのみフィードバックされることができ、また、送信アンテナを切り替えないことに決定された場合にも、スイッチング指示子の値を別にして、上記送信機１０１にフィードバックされることができる。上記アンテナスイッチング指示子は、１ビットで表現することができ、例えば、「１」は、切り替えのあることを指示し、「０」は、切り替えのないことを指示する。一方、上記スイッチング指示子は、後述する変調モードインデックスと共に、又は別に、上記受信機１０５から上記送信機１０１にフィードバックされることができる。
【００３０】
上記受信機１０５の変調モード決定部３０７は、上記測定されたＳＮＲを利用して変調モードを決定する。特に、ＳＮＲがＮ個の領域に区分される場合、上記ＳＮＲ測定部３０３で測定されたＳＮＲは、上記Ｎ個の領域のうちのいずれか一つに属する。即ち、上記測定されたＳＮＲが上記Ｎ個の領域のうちのｎ番目の領域（γＴn，γＴn+1）に属する場合、上記受信機１０５は、ｎという変調モードインデックス（ｉｎｄｅｘ）を上記送信機１０１にフィードバックし、上記送信機１０１は、２n−ＱＡＭで変調を行う。即ち、上記ＳＮＲがγＴn+1より小さく、γＴnより大きい場合、上記受信機は、変調モード方式を２n‐ＱＡＭに決定する。ここで、ｎは、２からＮまでの値を有し、２n＝Ｍを星状図（ｃｏｎｓｔｅｌｌａｔｉｏｎ）の大きさという。
【００３１】
上記Ｎ個の領域の各境界点γＴnは、ターゲットＢＥＲ（Ｂｉｔ  Ｅｒｒｏｒ  Ｒａｔｅ）により変わる。ターゲットＢＥＲが１％、０．１％、０．０１％である場合、各変調の水準を区分するＳＮＲの境界値は、下記の表１と同じである。
【００３２】
【表１】
2010517407.tif 000003
【００３３】
上記受信機１０５は、上記決定された変調モードを示すインデックスを、上記送信機１０１にフィードバックする。この時、上記受信機１０５で受信された信号に対してＳＮＲを測定し、切り替えの可否及び変調モードの決定時間を考慮して、上記信号には、短いガード領域（Ｓｈｏｒｔ  Ｇｕａｒｄ  Ｐｅｒｉｏｄ）が周期的に挿入されることが好ましい。
【００３４】
一方、上記特定の基準値は、要求される最小の伝送速度を満足し、アンテナの切り替えの回数を最小に制限するために、最小の変調サイズに決定されることができ、また、周波数の効率性を最大にするために、最大の変調サイズに決定されることができる。上記基準値の大きさは、上記送信機１０１で決定されて、上記受信機１０５に伝送されることができ、または上記受信機１０５で決定されることができる。
【００３５】
図４は、本発明の好ましい一つの実施例に係る送信機と受信機との間で行われる信号の流れを示すフローチャートである。
【００３６】
図４を参照すれば、まず、送信機は、伝送する信号を変調した後、変調された信号を受信機に伝送する（段階４０１）。この時、上記送信機は、多数のアンテナのうちのいずれか一つを通じて上記信号を伝送する。上記送信機と上記受信機とが最初の通信を行う場合、上記送信機は、多重のアンテナを利用して信号を送信するという情報、即ち、多重送信アンテナモードを指示する情報を、上記受信機に伝送することができる。この時、上記多重送信アンテナモード指示情報は、受信機において送信アンテナを切り替えるかを決定するための基準値の情報及び送信アンテナの数の情報を含むことができる。
【００３７】
以後、上記受信機は、受信された信号のＳＮＲを測定し、上記ＳＮＲと上記基準値とを比較することにより、送信アンテナを切り替えるかを決定する（段階４０３）。即ち、上記受信機は、測定されたＳＮＲが上記基準値より大きいかまたは等しい場合、送信アンテナを切り替えないことに決定し、測定されたＳＮＲが上記基準値より小さい場合、送信アンテナを切り替えることに決定する。上記基準値は、前述したように、上記送信機で決定されて、上記受信機に伝送されることができ、または上記受信機で予め決定された値であるか、適応的に変動されることができる。
【００３８】
上記受信機は、段階４０３において決定されたアンテナの切り替えの可否に応じて、アンテナスイッチング指示子を上記送信機に伝送する（段階４０５）。上記アンテナスイッチング指示子は、送信アンテナが切り替えられるように決定された場合にのみ伝送されることができる。アンテナスイッチング指示子を受信した送信機は、上記アンテナスイッチング指示子が送信アンテナを切り替えることを示す場合、現在の送信アンテナを他のアンテナに切り替える（段階４０７）。以後、上記送信機は、切り替えられた送信アンテナを通じて、信号を上記受信機に伝送する（段階４０９）。
【００３９】
一方、上記受信機は、段階４０３において測定したＳＮＲに対応する変調モードインデックスを上記送信機に伝送することができる。この時、上記受信機は、上記変調モードインデックスを、上記スイッチング指示子と同一のチャネルを利用して伝送するか、他のチャネルを利用して伝送する。以後、段階４０９において、上記送信機は、上記変調モードインデックスに係る変調方式に応じて、信号を受信機に伝送する。
【００４０】
上記受信機が、送信アンテナの数ほど、連続に切り替えることに決定し、上記送信アンテナのすべての経路のＳＮＲがγＴ2より低い場合、受信機は、変調モードインデックスを伝送する過程において、次の２種類のオプション（ｏｐｔｉｏｎ）で動作することができる。受信機は、ターゲットＢＥＲを満足しなくても、最も低い変調モード、即ち、ＱＰＳＫの変調方式で信号を送信することを送信機に要請することができる（オプション１）。又は、受信機は、より良いチャネル環境のために、次のガード区間（ｇｕａｒｄ  ｐｅｒｉｏｄ）まで、データをバッファーに格納し、待機要請を送信機にすることができる（オプション２）。
【００４１】
上記基準値をいかなる値に運用するかに伴い、ミニマム・エスティメイショ・ンスキーム（Ｍｉｎｉｍｕｍ  Ｅｓｔｉｍａｔｉｏｎ  Ｓｃｈｅｍｅｓ）と、バンドウィドゥス・エフィシェント・スキーム（Ｂａｎｄｗｉｄｔｈ  Ｅｆｆｉｃｉｅｎｔ  Ｓｃｈｅｍｅｓ）とに運用されることができる。
【００４２】
まず、ミニマム・エスティメイショ・ンスキームについて説明すれば、次の通りである。
【００４３】
ミニマム・エスティメイショ・ンスキームの目的は、送信機におけるアンテナの切り替えの回数を最小化することである。この時、受信機は、アンテナの切り替えのための基準値を、最も低い基準値、即ち、γＴ2に設定する。受信機は、現在の送信アンテナにおけるＳＮＲが上記基準値γＴ2より大きければ、現在のアンテナの経路のＳＮＲ値を、変調モードの決定のための臨界値（γＴ3，γＴ4，…，γＴn）と比較する。上記ＳＮＲがγＴn+1より小さく、γＴnより大きい場合、上記受信機は、変調モードをｎに決定する。この時、変調方式は、２n‐ＱＡＭとなる。上記受信機は、決定された変調モードを送信機にフィードバックし、上記送信機は、続くデータバーストに対して、上記フィードバックを受けた変調方式で変調を行う。
【００４４】
一方、現在のアンテナのＳＮＲがγＴ2より小さく、アンテナの切り替えを上記送信機に指示し、すべての送信アンテナに対してアンテナの切り替えを指示する場合、即ち、すべての送信アンテナに対してＳＮＲが上記γＴ2より小さければ、受信機は、次の２種類のオプション（ｏｐｔｉｏｎ）で動作することができる。受信機は、ターゲットＢＥＲを満足しなくても、最も低い変調モード、即ち、ＱＰＳＫの変調方式で信号を送信することを送信機に要請することができる（オプション１）。又は、受信機は、より良いチャネル環境のために、次のガード区間（ｇｕａｒｄ  ｐｅｒｉｏｄ）まで、データをバッファーに格納し、待機要請を送信機にすることができる（オプション２）。オプション１において、受信機は、一番最近のアンテナの経路を利用して信号を受信するか、又は最も良いアンテナの経路を上記送信機にフィードバックすることにより、最も良い送信アンテナを通じて信号を受信することができる。
【００４５】
次に、バンドウィドゥス・エフィシェント・スキームについて説明すれば、次の通りである。
【００４６】
バンドウィドゥス・エフィシェント・スキームの目的は、周波数の効率性を最大にすることである。この時、周波数の効率を上げるために、最も高い変調モードが必要である。即ち、受信機は、基準値を最も高い値、即ちγＴNに設定する。受信機は、現在のアンテナの経路のＳＮＲが上記基準値γＴNより大きい場合、アンテナの切り替えを停止し、送信機につながるデータバーストを２N‐ＱＡＭに変調して送信することを要請する。万一、現在のアンテナの経路のＳＮＲが上記基準値γＴNより小さくなると、ＳＮＲが上記基準値γＴNより大きいアンテナの経路を探し出して切り替えることを上記送信機にフィードバックする。すべてのアンテナに対するＳＮＲが上記基準値γＴNより小さければ、受信機は、最後のアンテナの経路に対するＳＮＲに応じて変調モードを決定して、上記送信機にフィードバックするか、又はすべてのアンテナの経路のＳＮＲを比較して、最も大きい値を有するＳＮＲを決定し、決定されたＳＮＲに対応する送信アンテナ情報及びこれに対する変調モードを決定し、上記送信機にフィードバックすることができる。
【００４７】
一方、最悪の場合、すべてのアンテナの経路のＳＮＲがγＴ2より小さい場合、ミニマム・エスティメイショ・ンスキームと同様に、２種類のオプションにより運用されることができる。受信機は、ターゲットＢＥＲを満足しなくても、最も低い変調モード、即ち、ＱＰＳＫの変調方式で信号を送信することを送信機に要請することができる（オプション１）。又は、受信機は、より良いチャネル環境のために、次のガード区間（ｇｕａｒｄ  ｐｅｒｉｏｄ）まで、データをバッファーに格納し、待機要請を送信機にすることができる（オプション２）。
【００４８】
図５は、本発明の一つの実施例に係る送信機における信号の送受信の手続きを示す順序図である。
【００４９】
図５を参照すれば、まず、送信機は、受信機に伝送する信号を変調し、上記受信機に伝送する（段階５０１）。この時、上記送信機は、多重送信アンテナを使用することを示す多重送信アンテナモード情報を、上記受信機に伝送することができる。この時、上記多重送信アンテナモード情報は、送信アンテナの数、切り替えを決定するための基準値の情報などを含むことができる。以後、送信機は、受信機からアンテナスイッチング指示子及び変調モードインデックスを受信する（段階５０３）。この時、上記アンテナスイッチング指示子及び変調モードインデックスは、同じチャネル又は他のチャネルを通じて受信されることができる。
【００５０】
上記送信機は、上記アンテナスイッチング指示子が送信アンテナの切り替えを指示するかを判断する（段階５０５）。上記判断の結果、アンテナの切り替えを指示する場合、上記受信機は、段階５０７に移動して、現在の送信アンテナを他のアンテナに切り替える。上記判断の結果、アンテナの切り替えを指示しない場合、上記送信機は、段階５０９に進行する。段階５０９において、上記送信機は、上記受信された変調モードインデックスに対応する変調モードに応じて信号を変調した後、受信機に伝送する。
【００５１】
図６は、本発明の一つの実施例に係る受信機における信号の送受信の手続きを示す順序図である。
【００５２】
図６を参照すれば、受信機は、送信機から伝送された信号を受信する（段階６０１）。上記受信機は、上記受信した信号のＳＮＲを測定する（段階６０３）。
【００５３】
以後、上記受信機は、測定されたＳＮＲを特定の基準値と比較する（段階６０５）。この時、上記基準値は、前述したように、上記送信機を通じて伝送されるか、自体的に決定された値であるか、又は上記送信機との通信の種類に応じて適応的に変更されることができる。
【００５４】
段階６０５における比較の結果、ＳＮＲが基準値より大きいか、又は等しい場合、受信機は、段階６０７を行い、ＳＮＲが基準値より小さい場合、段階６０９を行う。
【００５５】
段階６０７において、上記受信機は、上記ＳＮＲを、変調モードの決定のための臨界値（γＴ3，γＴ4，・・・，γＴn）と比較して、上記ＳＮＲがγＴn+1より小さく、γＴnより大きい場合、上記受信機は、変調モードをｎに決定し、これを送信機にフィードバックする。
【００５６】
段階６０９において、上記受信機は、アンテナを切り替えることを指示するアンテナスイッチング指示子及び変調モードインデックスを、上記送信機にフィードバックする。この時、上記変調モードインデックスの決定方法は、段階６０７と同一である。
【００５７】
本発明は、上記実施例に限定されるものではなく、多くの変形が、本発明の思想内において当分野の通常の知識を有する者により可能であることはもちろんである。
【符号の説明】
【００５８】
１０１：送信機
１０５：受信機
２０１：変調部
２０３：スイッチング制御部
３０１：送受信部
３０５：スイッチング決定部
３０７：変調モード決定部
【図１】
2010517407.tif 000004
【図２】
2010517407.tif 000005
【図３】
2010517407.tif 000006
【図４】
2010517407.tif 000007
【図５】
2010517407.tif 000008
【図６】
2010517407.tif 000009
【国際調査報告】
2010517407.tif 000010
2010517407.tif 000011